【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
処理テープを送りながらこれに印刷を行う印刷処理部と、
前記処理テープを送りながらこれに物理的加工を行う加工処理部と、を備え、
入力情報に基づいて、前記処理テープに対し、印刷を行う印刷処理、物理的加工を行う加工処理、および印刷と物理的加工とを行う印刷加工処理を選択的に行い得ると共に、複数のラベルを連ねた単一の連続ラベルを作成する連続処理が可能に構成されたラベル作成装置のラベル作成方法であって、
前記印刷処理または前記加工処理が選択された場合にのみ、前記連続処理を行うことを特徴とするラベル作成装置のラベル作成方法。
【請求項２】
前記印刷加工処理が選択された場合に、前記複数のラベルをそれぞれ個別のラベルとして作成する個別処理を行うことを特徴とする請求項１に記載のラベル作成装置のラベル作成方法。
【請求項３】
処理テープを送りながらこれに印刷を行う印刷処理部と、
前記処理テープを送りながらこれに物理的加工を行う加工処理部と、を備え、
入力情報に基づいて、前記処理テープに対し、印刷を行う印刷処理、物理的加工を行う加工処理、および印刷と物理的加工とを行う印刷加工処理を選択的に行い得ると共に、複数のラベルを連ねた単一の連続ラベルを作成する連続処理が可能に構成されたラベル作成装置であって、
前記印刷処理、前記加工処理および前記印刷加工処理を選択する処理選択手段と、
前記印刷処理部および前記加工処理部を制御する制御手段と、をさらに備え、
前記制御手段は、
前記印刷処理または前記加工処理が選択された場合にのみ、前記連続処理を行うことを特徴とするラベル作成装置。
【請求項４】
前記制御手段は、前記印刷加工処理が選択された場合に、前記複数のラベルをそれぞれ個別のラベルとして作成する個別処理を行うことを特徴とする請求項３に記載のラベル作成装置。
【請求項５】
前記処理テープは、ロール状に巻回されたテープであり、
前記印刷処理部は、前記処理テープを切断する切断手段を、有し、
前記加工処理および前記印刷加工処理は、前記印刷処理部を通過して作成された前記処理テープのテープ片に対し、前記加工処理部により物理的加工を行うものであって、
前記制御手段は、前記切断手段を制御して、前記連続処理では、前記連続ラベルの尾端で前記処理テープの切断を行い、前記個別処理では、前記各ラベルの尾端で前記処理テープの切断を行うことを特徴とする請求項４に記載のラベル作成装置。
【請求項６】
前記処理テープは、テープ本体と剥離テープとから成り、
前記印刷処理部は、前記テープ本体のみを切断するハーフカットを行うハーフカッタを、さらに有し、
前記制御手段は、前記ハーフカッタを制御して、前記印刷処理における前記連続処理の場合にのみ、前記複数のラベルの相互の境界をハーフカットすることを特徴とする請求項５に記載のラベル作成装置。
【請求項７】
前記加工処理部は、前記処理テープに点字を打刻する打刻手段を有していることを特徴とする請求項３ないし６のいずれかに記載のラベル作成装置。
【請求項８】
前記処理テープは、テープ本体と剥離テープとから成り、
前記加工処理部は、前記処理テープの前記テープ本体を、任意の切抜き形状にハーフカットするカッティング手段を有していることを特徴とする請求項３ないし６のいずれかに記載のラベル作成装置。
【手続補正２】
【補正対象書類名】明細書
【補正対象項目名】０００５
【補正方法】変更
【補正の内容】
【０００５】
本発明のラベル作成装置のラベル作成方法は、処理テープを送りながらこれに印刷を行う印刷処理部と、処理テープを送りながらこれに物理的加工を行う加工処理部と、を備え、入力情報に基づいて、処理テープに対し、印刷を行う印刷処理、物理的加工を行う加工処理、および印刷と物理的加工とを行う印刷加工処理を選択的に行い得ると共に、複数のラベルを連ねた単一の連続ラベルを作成する連続処理が可能に構成されたラベル作成装置のラベル作成方法であって、印刷処理または加工処理が選択された場合にのみ、連続処理を行うことを特徴とする。
【手続補正３】
【補正対象書類名】明細書
【補正対象項目名】０００６
【補正方法】変更
【補正の内容】
【０００６】
本発明のラベル作成装置は、処理テープを送りながらこれに印刷を行う印刷処理部と、処理テープを送りながらこれに物理的加工を行う加工処理部と、を備え、入力情報に基づいて、処理テープに対し、印刷を行う印刷処理、物理的加工を行う加工処理、および印刷と物理的加工とを行う印刷加工処理を選択的に行い得ると共に、複数のラベルを連ねた単一の連続ラベルを作成する連続処理が可能に構成されたラベル作成装置であって、印刷処理、加工処理および印刷加工処理を選択する処理選択手段と、印刷処理部および加工処理部を制御する制御手段と、をさらに備え、制御手段は、印刷処理または加工処理が選択された場合にのみ、連続処理を行うことを特徴とする。
【手続補正４】
【補正対象書類名】明細書
【補正対象項目名】０００７
【補正方法】変更
【補正の内容】
【０００７】
ところで、印刷加工処理では、処理テープに印刷および加工の双方が行われることから、連続処理を行うと、印刷処理部と加工処理部との送り誤差に起因して、各ラベルにおける印刷処理済み部分と加工処理済み部分とが、相互に位置ずれする（特に、連続ラベルの後端側の位置ずれは甚大となる）おそれがある。
これらの構成によれば、印刷処理では処理テープに印刷のみが、加工処理では処理テープに加工のみが行われることから、連続処理を行っても、各ラベルにおいて印刷処理済み部分と加工処理済み部分とが相互に位置ずれするおそれがないため、連続処理を許容する。したがって、簡易な操作で複数のラベル（連続ラベル）を作成することができ、これを簡便に保管することができる。
【手続補正５】
【補正対象書類名】明細書
【補正対象項目名】０００８
【補正方法】変更
【補正の内容】
【０００８】
上記のラベル作成装置のラベル作成方法において、印刷加工処理が選択された場合に、複数のラベルをそれぞれ個別のラベルとして作成する個別処理を行うことが好ましい。
【手続補正６】
【補正対象書類名】明細書
【補正対象項目名】０００９
【補正方法】変更
【補正の内容】
【０００９】
上記のラベル作成装置において、制御手段は、印刷加工処理が選択された場合に、複数のラベルをそれぞれ個別のラベルとして作成する個別処理を行うことが好ましい。
【手続補正７】
【補正対象書類名】明細書
【補正対象項目名】００１３
【補正方法】変更
【補正の内容】
【００１３】
この場合、処理テープは、テープ本体と剥離テープとから成り、印刷処理部は、テープ本体のみを切断するハーフカットを行うハーフカッタを、さらに有し、制御手段は、ハーフカッタを制御して、印刷処理における連続処理の場合にのみ、複数のラベルの相互の境界をハーフカットすることが好ましい。
【手続補正８】
【補正対象書類名】明細書
【補正対象項目名】００１６
【補正方法】変更
【補正の内容】
【００１６】
この構成によれば、印刷処理済み部分と、打刻処理済み部分とが相互に位置ずれすることのない複数の墨字／点字併記ラベルを作成することができる。
【手続補正９】
【補正対象書類名】明細書
【補正対象項目名】００１８
【補正方法】変更
【補正の内容】
【００１８】
この構成によれば、印刷処理済み部分と、カッティング処理済み部分とが相互に位置ずれすることのない複数のラベルを作成することができる。
【手続補正１０】
【補正対象書類名】明細書
【補正対象項目名】００２０
【補正方法】変更
【補正の内容】
【００２０】
図１は、ラベル作成装置１の閉蓋状態の外観斜視図であり、図２は、ラベル作成装置１の開蓋状態の外観斜視図である。図１および図２に示すように、ラベル作成装置１は、処理テープＴに対して墨字印刷および点字打刻を行う装置本体２と、処理テープＴおよびインクリボンＲを収容し、装置本体２に着脱自在に装着されるテープカートリッジＣとを備えている。
【手続補正１１】
【補正対象書類名】明細書
【補正対象項目名】００６５
【補正方法】変更
【補正の内容】
【００６５】
そして、ラベル作成装置では、上記と同様に、モード選択指示により、処理テープに対し、印刷およびカッティングを行う印刷切抜処理モードと、印刷のみ行う印刷処理モードと、カッティングのみ行う切抜処理モードとのいずれかが選択され、そのモード選択に従って、印刷切抜処理、印刷処理および切抜処理が選択的に行われる。さらに、印刷処理と切抜処理とでは、複数のラベルを連ねた連続ラベルを作成する連続処理を許容し、印刷切抜処理では、連続処理を禁止すると共に、この禁止に基づいて、複数のラベルをそれぞれ個別に作成する個別処理を行うようになっている。
【手続補正１２】
【補正対象書類名】明細書
【補正対象項目名】００６７
【補正方法】変更
【補正の内容】
【００６７】
そこで、このような連続処理を禁止し、個別処理を実行する。具体的には、印刷処理部では、文字列「ＡＢＣ」を３回印刷すると共に、各ラベルＬａの尾端で処理テープのフルカットを行う。続いて、得られた各ラベルＬａに対し、切抜処理部は、文字列「ＡＢＣ」を囲むように楕円形の切抜きライン３９を形成する。このカッティング処理を繰り返すことで、文字列「ＡＢＣ」および切抜きライン３９がそれぞれ形成された３枚のラベルＬａが個別に作成される（図１１（ｂ）参照）。